(57)【要約】【課題】走行軌跡に関連付けて記録しているコンテンツの情報（例えば、楽曲データであれば、曲名やアーティスト名、アルバム名など）をユーザに様々な形で利用させることを課題とする。【解決手段】走行軌跡情報生成部は、地図ＤＢから得たノードＩＤに変更があった場合には追加軌跡ＩＤを生成するとともに、追加軌跡ＩＤ、追加軌跡ＩＤに対応する経度、緯度、日時およびリンクＩＤ、ノードＩＤ、地点ＩＤを走行軌跡関連情報として走行軌跡関連ＤＢに格納する。さらに、ＣＤＤ（Compact Disk Drive）に記憶されているコンテンツデータを再生して、コンテンツデータに関するコンテンツ情報（例えば、楽曲データであれば、曲名やアーティスト名、アルバム名など）を取得した場合や、ラジオチューナまたはテレビチューナからの周波数を再生してコンテンツ情報を取得した場合にも追加軌跡ＩＤを生成する。【選択図】        図１
2008014711.tif 000002
【特許請求の範囲】
【請求項１】
車両走行による位置の推移を示す走行軌跡情報を生成する走行軌跡情報生成手段と、
前記車両走行中に再生されたコンテンツデータに関する情報を取得するコンテンツ情報取得手段と、
前記走行軌跡情報生成手段により生成された走行軌跡情報と、前記コンテンツ情報取得手段により取得されたコンテンツデータに関する情報とを関連付けて記録する情報記録手段と、
を備えたことを特徴とするコンテンツデータ管理装置。
【請求項２】
前記走行軌跡情報生成手段は、所定の走行距離間隔または所定の時間間隔で前記走行軌跡情報を生成することを特徴とする請求項１に記載のコンテンツデータ管理装置。
【請求項３】
前記走行軌跡情報生成手段は、前記コンテンツデータの再生状況に応じて追加走行軌跡情報をさらに生成し、
前記情報記録手段は、前記走行軌跡生成手段により生成された追加走行軌跡情報をさらに記録することを特徴とする請求項１に記載のコンテンツデータ管理装置。
【請求項４】
前記コンテンツ情報取得手段により取得されたコンテンツデータの再生開始時刻、再生終了時刻、再生開始時点および再生終了時点における各地点名の情報からなる付加情報を取得する付加情報取得手段をさらに備え、
前記情報記録手段は、前記付加情報手段により取得された付加情報と前記コンテンツ情報取得手段により取得されたコンテンツデータの情報とを関連付けてさらに記録することを特徴とする請求項１に記載のコンテンツデータ管理装置。
【請求項５】
前記走行軌跡情報生成手段は、前記コンテンツデータの切換りを示す切換情報をさらに生成し、
前記情報記録手段は、前記走行軌跡情報生成手段により生成された前記切換情報をさらに記録することを特徴とする請求項１に記載のコンテンツデータ管理装置。
【請求項６】
前記情報記録手段により記録されている走行軌跡情報およびコンテンツデータに関する情報を関連付けて表示する情報表示手段をさらに備えたことを特徴とする請求項１に記載のコンテンツデータ管理装置。
【請求項７】
前記情報表示手段は、前記情報記録手段により記録されている付加情報およびコンテンツデータに関する情報を関連付けてさらに表示することを特徴とする請求項６に記載のコンテンツデータ管理装置。
【請求項８】
前記情報表示手段は、前記情報記録手段において走行軌跡情報に関連付けて記録されているコンテンツデータに関する情報ごとに、当該走行軌跡情報の表示形態を変化させて表示することを特徴とする請求項６に記載のコンテンツデータ管理装置。
【請求項９】
前記情報表示手段により表示されているコンテンツデータに関する情報に対する選択をユーザから受け付ける選択受付手段と、
前記選択受付手段によりユーザからコンテンツデータの情報の選択を受け付けた場合に、前記情報記録手段に記録されている走行軌跡情報の中から、当該ユーザからの選択受付にかかるコンテンツデータに関する情報に関連付けられた走行軌跡情報を検索して再現する走行軌跡再現手段と、
をさらに備えたことを特徴とする請求項６に記載のコンテンツデータ管理装置。
【請求項１０】
自車両の位置情報を用いて経路案内を行う経路案内手段と、
前記位置情報を利用して走行軌跡情報を生成する走行軌跡情報生成手段と、
前記走行軌跡情報生成手段により生成された走行軌跡情報に対応する走行軌跡上で再生されたコンテンツデータに関する情報を取得するコンテンツ情報取得手段と、
前記走行軌跡情報生成手段により生成された走行軌跡情報と、前記コンテンツ情報取得手段により取得されたコンテンツデータに関する情報とを関連付けて記録する情報記録手段と、
を備えたことを特徴とするナビゲーション装置。
【発明の詳細な説明】
【技術分野】
【０００１】
この発明は、コンテンツデータ管理装置およびナビゲーション装置に関する。
【背景技術】
【０００２】
従来より、ユーザの状況に応じて音声データなどコンテンツデータを再生する技術が開示されている。例えば、特許文献１（特開２００５−１１４８６１）では、ナビゲーション装置などから取得したエリア情報と、そのエリアを車両で走行中に再生されていた楽曲などの音声データとを対応付けて記録しておき、例えば、ユーザからの選択を受け付けて車両で走行したエリアに応じた楽曲を再生するなどして利用する技術が開示されている。
【０００３】
【特許文献１】特開２００５−１１４８６１号公報
【発明の開示】
【発明が解決しようとする課題】
【０００４】
ところで、上記した従来の技術は、コンテンツデータとして記録した楽曲データなどの音声データを利用できない場合があるという問題点があった。すなわち、上記の従来技術は、車両走行中のエリアとそのエリアを走行中に再生されている楽曲データとを対応付けて記録しているので、例えば、以前、車両走行中に聴いていた楽曲の情報をユーザが取得しようとする場合、車両で走行していたエリアを特定できなければ所望する楽曲の情報を取得して利用することができないという問題点があった。
【０００５】
また、ユーザは、走行中に再生された楽曲に感心があっても、その楽曲が何処を走行中に再生されたものであるかまで具体的には憶えていない。楽曲を聴いていた時の車両内外の風景、目的地や日時くらいは憶えている場合もあり得るが、具体的な地点名を風景等から特定することは難しく、地図上から地点を選択することより困難である。
【０００６】
そこで、この発明は、上述した従来技術の課題を解決するためになされたものであり、以前に車両で走行したエリアを直接指示することなく、ユーザが所望をするコンテンツデータを取得することが可能なコンテンツデータ管理装置およびナビゲーション装置を提供することを目的とする。また、記録しているコンテンツデータの情報をユーザに様々な形で利用させることが可能なコンテンツデータ管理装置およびナビゲーション装置を提供することを目的とする。
【課題を解決するための手段】
【０００７】
上述した課題を解決し、目的を達成するため、本発明の一つの側面は、車両走行による位置の推移を示す走行軌跡情報を生成する走行軌跡情報生成手段と、前記車両走行中に再生されたコンテンツデータに関する情報を取得するコンテンツ情報取得手段と、前記走行軌跡情報生成手段により生成された走行軌跡情報と、前記コンテンツ情報取得手段により取得されたコンテンツデータに関する情報とを関連付けて記録する情報記録手段と、を備えたことを特徴とする。
【０００８】
また、上記の発明において、前記走行軌跡情報生成手段は、所定の走行距離間隔または所定の時間間隔で前記走行軌跡情報を生成する構成であってもよい。
【０００９】
また、上記の発明において、前記走行軌跡情報生成手段は、前記コンテンツデータの再生状況に応じて追加走行軌跡情報をさらに生成し、前記情報記録手段は、前記走行軌跡生成手段により生成された追加走行軌跡情報をさらに記録する構成であってもよい。
【００１０】
また、上記の発明において、前記コンテンツ情報取得手段により取得されたコンテンツデータの再生開始時刻、再生終了時刻、再生開始時点および再生終了時点における各地点名の情報からなる付加情報を取得する付加情報取得手段をさらに備え、前記情報記録手段は、前記付加情報手段により取得された付加情報と前記コンテンツ情報取得手段により取得されたコンテンツデータの情報とを関連付けてさらに記録する構成であってもよい。
【００１１】
また、上記の発明において、前記走行軌跡情報生成手段は、前記コンテンツデータの切換りを示す切換情報をさらに生成し、前記情報記録手段は、前記走行軌跡情報生成手段により生成された前記切換情報をさらに記録する構成であってもよい。
【００１２】
また、上記の発明において、前記情報記録手段により記録されている走行軌跡情報およびコンテンツデータに関する情報を関連付けて表示する情報表示手段をさらに備えた構成であってもよい。
【００１３】
また、上記の発明において、前記情報表示手段は、前記情報記録手段により記録されている付加情報およびコンテンツデータに関する情報を関連付けてさらに表示する構成であってもよい。
【００１４】
また、上記の発明において、前記情報表示手段は、前記情報記録手段において走行軌跡情報に関連付けて記録されているコンテンツデータに関する情報ごとに、当該走行軌跡情報の標示形態を変化させて表示する構成であってもよい。
【００１５】
また、上記の発明において、前記情報表示手段により表示されているコンテンツデータに関する情報に対する選択をユーザから受け付ける選択受付手段と、前記選択受付手段によりユーザからコンテンツデータに関する情報の選択を受け付けた場合に、前記情報記録手段に記録されている走行軌跡情報の中から、当該ユーザからの選択受付にかかるコンテンツデータに関する情報に関連付けられた走行軌跡情報を検索して再現する走行軌跡再現手段と、をさらに備えた構成であってもよい。
【００１６】
また、本発明のさらに別の側面は、自車両の位置情報を用いて経路案内を行う経路案内手段と、前記位置情報を利用して走行軌跡情報を生成する走行軌跡情報生成手段と、前記走行軌跡情報生成手段により生成された走行軌跡情報に対応する走行軌跡上で再生されたコンテンツデータに関する情報を取得するコンテンツ情報取得手段と、前記走行軌跡情報生成手段により生成された走行軌跡情報と、前記コンテンツ情報取得手段により取得されたコンテンツデータに関する情報とを関連付けて記録する情報記録手段と、を備えたことを特徴とする。
【発明の効果】
【００１７】
本発明によれば、車両の走行軌跡情報（例えば、緯度、軽度、日時や地点名などから車両走行位置の推移を特定するための情報など）と、走行軌跡情報に対応する走行軌跡上で再生されたコンテンツデータに関する情報（例えば、楽曲データであれば、曲名やアーティスト名、アルバム名など）とを関連付けて記録するので、例えば、ユーザは以前に車両で走行していたエリアを直接指示して特定することなく、所望するコンテンツ情報を走行軌跡を足がかりとして取得することができるなど、走行軌跡に関連付けて記録しているコンテンツの情報をユーザに様々な形で利用させることが可能である。
【発明を実施するための最良の形態】
【００１８】
以下に添付図面を参照して、本発明に係るコンテンツデータ管理装置およびナビゲーション装置の実施例を詳細に説明する。なお、以下では、本発明に係るコンテンツデータ管理装置を実施例１として説明した後に、本発明に含まれる他の実施例を説明する。
【実施例１】
【００１９】
以下の実施例１では、実施例１に係るコンテンツデータ管理装置の概要および特徴、コンテンツデータ管理装置の機能を車両に搭載した統合装置構成および処理の流れを順に説明し、最後に実施例１に係る効果を説明する。
【００２０】
［概要および特徴（実施例１）］
まず最初に、図１を用いて、実施例１に係るコンテンツデータ管理装置の概要および特徴を説明する。図１は、実施例１に係るコンテンツデータ管理装置の概要および特徴を説明するための図である。
【００２１】
同図に示すように、実施例１に係るコンテンツデータ管理装置は、ＧＰＳ（Global Positioning System）やユーザ入力部、地図ＤＢなどから得た情報に基づいて、車両走行による位置の推移を示す走行軌跡情報を生成することを概要とするが、走行軌跡に関連付けて記録しているコンテンツの情報（例えば、楽曲データであれば、曲名やアーティスト名、アルバム名など）をユーザに様々な形で利用させる点に主たる特徴がある。
【００２２】
この主たる特徴について具体的に説明すると、コンテンツデータ管理装置は、例えば、ユーザ入力部を介して目的地の入力および走行軌跡記録開始指示の入力をユーザから受け付けると、ＧＰＳおよび地図ＤＢから得た情報に基づいて通常軌跡ＩＤを生成するとともに、通常軌跡ＩＤおよび通常軌跡ＩＤに対応する情報からなる走行軌跡関連情報の記録を開始する。
【００２３】
具体的には、コンテンツデータ管理装置の走行軌跡情報生成部は、ＧＰＳおよび地図ＤＢから得た情報に基づいて、走行軌跡記録開始指示の入力を受け付けた地点の現在地情報を取得するとともに、現在地情報の推移から移動距離を計算して、移動距離が所定の設定値（例えば、２００ｍ）に一致する場合には、到達地点を特定するための通常軌跡ＩＤを生成する。そして、走行軌跡関連ＤＢは、走行軌跡情報生成部によって格納された通常軌跡ＩＤ、通常軌跡ＩＤに対応する経度、緯度、日時およびリンクＩＤ、ノードＩＤ、地点ＩＤからなる走行軌跡関連情報を記録する。
【００２４】
また、走行軌跡情報生成部は、地図ＤＢから得たノードＩＤに変更があった場合には追加軌跡ＩＤを生成する。そして、走行軌跡関連ＤＢは、走行軌跡情報生成部から格納された追加軌跡ＩＤ、追加軌跡ＩＤに対応する経度、緯度、日時（つまり、コンテンツデータの再生開始や再生終了などの再生状況の変化時点に対応する日時など）およびリンクＩＤ、ノードＩＤ、地点ＩＤ（つまり、コンテンツデータの再生開始または再生終了などの再生状況の変化時点に対応する地点など）からなる走行軌跡関連情報を記録する。
【００２５】
また、走行軌跡情報生成部は、ＣＤＤ（Compact Disk Drive）、ラジオチューナまたはテレビチューナなどをコンテンツソースとするコンテンツデータ（例えば、楽曲データや動画像データなど）の再生状況に応じて追加軌跡ＩＤを生成する。
【００２６】
詳細には、走行軌跡情報生成部は、コンテンツ情報取得部からコンテンツデータの再生状況の変化について通知を受け付けた場合（例えば、楽曲データであれば、曲の再生開始や終了、別の楽曲への切換りなどについての通知を受け付けた場合）には、再生状況の変化ごとに追加軌跡ＩＤを生成する。そして、走行軌跡関連ＤＢは、追加軌跡ＩＤ、追加軌跡ＩＤに関連付けたコンテンツ情報、追加軌跡ＩＤに対応する経度、緯度、日時およびリンクＩＤ、ノードＩＤ、地点ＩＤからなる走行軌跡関連情報を記録する。
【００２７】
このようなことから上述した主たる特徴の如く、実施例１に係るコンテンツデータ管理装置は、例えば、ユーザは以前に車両で走行していたエリアを特定することなく、所望するコンテンツ情報を走行軌跡を足がかりとして取得することができるなど、走行軌跡に関連付けて記録しているコンテンツの情報をユーザに様々な形で利用させることが可能である。
【００２８】
［統合装置の構成（実施例１）］
次に、図２を用いて、実施例１に係るコンテンツデータ管理装置の機能を車両に搭載した統合装置の構成を説明する。図２は、実施例１に係るコンテンツデータ管理装置の機能を車両に搭載した統合装置の構成を示すブロック図である。同図に示すように、実施例１に係るコンテンツデータ管理装置の機能を車両に搭載した統合装置は、ＧＰＳ１０と、ディスプレイ１１と、スピーカ１２と、ＣＤＤ１３と、ラジオチューナ１４と、テレビチューナ１５と、ＨＤＤ２０と、オーディオユニット３０と、ナビゲーションユニット４０とから構成される。
【００２９】
このうち、ＧＰＳ（Global Positioning System）１０は人工衛星と連携してナビゲーションユニット４０に緯度、経度および日時などの情報を供給する手段である。ディスプレイ１１は、表示による出力を行って、ユーザ（車両乗員）に対して種々の情報（例えば、コンテンツ情報や経路案内情報など）を供給する手段である。また、ディスプレイ１１は、タッチパネルを配置して、ユーザからの入力を受け付ける手段としても機能する。スピーカ１２は、音声による出力を行って、ユーザに対して情報を供給する手段である。
【００３０】
ＣＤＤ（Compact Disk Drive）１３は、コンテンツデータ（例えば、楽曲データなどの音声データ）を記憶する補助記憶手段である。ラジオチューナ１４およびテレビチューナ１５は、所定の周波数（チャンネル）の電波を受信する手段である。
【００３１】
ＨＤＤ２０は、オーディオユニット３０やナビゲーションユニット４０による各種処理に必要なデータ等を記憶する手段であり、特に本発明に密接に関連するものとしては、地図ＤＢ２１と、走行軌跡関連ＤＢ２２と、コンテンツＤＢ２３とを備える。このうち、地図ＤＢ２１は、ナビゲーションユニット４０による走行経路設定に必要な地図データを記憶する手段であり、具体的には、ノードＩＤに対応づけて、リンクＩＤや地点ＩＤなどを記憶して構成される。
【００３２】
走行軌跡関連ＤＢ２２は、ナビゲーションユニット４０の走行軌跡情報生成部４１によって生成された通常軌跡ＩＤなどからなる走行軌跡関連情報を記録する手段であり、具体的には、図３に例示するように、通常軌跡ＩＤ、追加軌跡ＩＤ、追加軌跡ＩＤに関連付けたコンテンツ情報（例えば、音楽情報として曲名やアーティスト名、楽曲データの再生開始や再生終了）、通常軌跡ＩＤおよび追加軌跡ＩＤに対応する経度、緯度、日時やリンクＩＤ、ノードＩＤ、地点ＩＤなどを走行軌跡関連情報として記録して構成される。
【００３３】
コンテンツＤＢ２３は、オーディオユニット３０によってＣＤＤなどから取り込まれた楽曲データなどのコンテンツデータを記憶する手段である。
【００３４】
オーディオユニット３０は、ＣＤＤ１３やコンテンツＤＢ２３に記憶されているコンテンツデータ（例えば、楽曲データなどの音声データ）を再生してスピーカ１２から出力する他、ラジオチューナ１４およびテレビチューナ１５によって受信された周波数を復調してＴＳ（Transport Stream）パケットを取り出し、音声データや画像データなどのコンテンツデータに変換して再生し、ディスプレイ１１やスピーカ１２から出力することを主機能とするものであるが、特に本発明に密接に関連するものとしては、コンテンツ情報取得部３１を備える。
【００３５】
コンテンツ情報取得部３１は、コンテンツデータの再生に際して、コンテンツデータに関するコンテンツ情報（例えば、楽曲データであれば、曲名やアーティスト名など）やコンテンツデータの再生状況（例えば、楽曲データの再生開始や再生終了、別の楽曲データの切換りなど）を取得する処理部であり、取得したコンテンツ情報やコンテンツデータの再生状況を走行軌跡情報生成部４１へ出力する。
【００３６】
ナビゲーションユニット４０は、ＧＰＳ（Global Positioning System）人工衛星と通信を行って、特定した自動車の位置と地図データとから走行経路の設定および誘導を行うことを主機能とするものであるが、特に本発明に密接に関連するものとしては、走行軌跡情報生成部４１を備える。
【００３７】
走行軌跡情報生成部４１は、ＧＰＳ１０および地図ＤＢ２１から得た情報に基づいて通常軌跡ＩＤおよび追加軌跡ＩＤ等の生成を行って、走行軌跡関連情報を走行軌跡関連ＤＢ２２に格納する処理部である。
【００３８】
具体的には、走行軌跡情報生成部４１は、ディスプレイ１１に配置されたタッチパネルを介してユーザから走行軌跡記録開始指示を受け付けると、ＧＰＳ１０および地図ＤＢ２１から得た情報に基づいて現在地情報を取得するとともに、現在地情報の推移から移動距離を計算して、移動距離が所定の設定値（例えば、２００ｍ）に一致する場合には、到達地点を特定するための通常軌跡ＩＤを生成する。そして、走行軌跡情報生成部４１は、通常軌跡ＩＤ（例えば、８、９および１０など、図３参照）、通常軌跡ＩＤに対応する経度、緯度、日時およびリンクＩＤ、ノードＩＤ、地点ＩＤからなる走行軌跡関連情報を走行軌跡関連ＤＢ２２に格納する。
【００３９】
なお、走行軌跡情報生成部４１は、移動距離が所定の設定値に到達した場合に通常軌跡ＩＤを生成する場合に限られるものではなく、時間閾値を設けて所定の時間間隔ごと（例えば、５分ごと）に通常軌跡ＩＤを生成するようにしてもよい。
【００４０】
また、走行軌跡情報生成部４１は、地図ＤＢ２１から得たノードＩＤに変更があった場合には追加軌跡ＩＤを生成する。そして、走行軌跡関連ＤＢ２２は、走行軌跡情報生成部４１から格納された追加軌跡ＩＤ（例えば、８−００２や１０−００１など、図３参照）、追加軌跡ＩＤに対応する経度、緯度、日時およびリンクＩＤ（例えば、２０００、２００１および２００２など、図３参照）、ノードＩＤ（例えば、９９９や１０００など、図３参照）、地点ＩＤ（例えば、１１１、１１２、１１３および１１４など、図３参照）からなる走行軌跡関連情報を記録する。
【００４１】
さらに、ＣＤＤ（Compact Disk Drive）１３、ラジオチューナ１４またはテレビチューナ１５、コンテンツＤＢ２３をコンテンツソースとするコンテンツデータの再生状況の変化について（例えば、楽曲データであれば、曲の再生開始や終了、別の楽曲への切換りなどがあった場合）コンテンツ情報取得部３１から通知を受け付けた場合には、再生状況の変化ごとに追加軌跡ＩＤ（例えば、８−００１、８−００２、９−００１および９−００２など、図３参照）を生成する。
【００４２】
そして、走行軌跡情報生成部４１は、追加軌跡ＩＤ、追加軌跡ＩＤに関連付けたコンテンツ情報、追加軌跡ＩＤに対応する経度、緯度、日時（つまり、コンテンツデータの再生開始や再生終了などの再生状況の変化時点に対応する日時など）およびリンクＩＤ、ノードＩＤ、地点ＩＤ（つまり、コンテンツデータの再生開始または再生終了などの再生状況の変化時点に対応する地点など）からなる走行軌跡関連情報を走行軌跡関連ＤＢ２２に格納する。
【００４３】
［通常軌跡生成記録処理（実施例１）］
次に、図４を用いて、実施例１に係るコンテンツデータ管理装置の機能を車両に搭載した装置において、ユーザから走行軌跡記録開始指示を受け付けた場合に開始する通常軌跡生成記録処理を説明する。図４は、実施例１に係る通常軌跡生成記録処理の流れを示すフローチャートである。
【００４４】
同図に示すように、走行軌跡情報生成部４１は、ＧＰＳ１０および地図ＤＢ２１から得た情報に基づいて、走行軌跡記録開始指示の入力を受け付けた地点の現在地情報を取得する（ステップＳ４０１）。
【００４５】
続いて、走行軌跡情報生成部４１は、取得した現在地情報の推移から移動距離を計算して（ステップＳ４０２）、移動距離が所定の設定値（例えば、２００ｍ）に一致するか否か判定する（ステップＳ４０３）。その結果、移動距離が所定の設定値に一致する場合には（ステップＳ４０３肯定）、走行軌跡情報生成部４１は、到達地点を特定するための通常軌跡ＩＤを生成する（ステップＳ４０４）。そして、走行軌跡関連ＤＢ２２は、走行軌跡情報生成部４１によって格納された通常軌跡ＩＤ、通常軌跡ＩＤに対応する経度、緯度、日時およびリンクＩＤ、ノードＩＤ、地点ＩＤを走行軌跡関連情報として記録する（ステップＳ４０５）。
【００４６】
ここで、ステップＳ４０３の説明に戻ると、移動距離が所定の設定値に一致しない場合には（ステップＳ４０３否定）、走行軌跡情報生成部４１は、後ほど詳述する追加軌跡生成記録処理を実行する（ステップＳ４０６）。
【００４７】
［追加軌跡生成記録処理（実施例１）］
続いて、図５を用いて、実施例１に係る追加軌跡生成記録処理を説明する。図５は、実施例１に係る追加軌跡生成記録処理の流れを示すフローチャートである。
【００４８】
同図に示すように、走行軌跡情報生成部４１は、地図ＤＢ２１から得たノードＩＤに変更があるか否か判定する（ステップＳ５０１）。その結果、ノードＩＤに変更がある場合には（ステップＳ５０１肯定）、走行軌跡情報生成部４１は追加軌跡ＩＤを生成するとともに（ステップＳ５０２）、走行軌跡関連ＤＢ２２は、走行軌跡情報生成部４１から格納された追加軌跡ＩＤ、追加軌跡ＩＤに対応する経度、緯度、日時およびリンクＩＤ、ノードＩＤ、地点ＩＤを走行軌跡関連情報として記録する（ステップ５０３）。
【００４９】
一方、ノードＩＤに変更がない場合（ステップＳ５０１否定）、あるいは、ノード変更に伴う走行関連情報記録処理（ステップＳ５０３）に続いて、コンテンツ情報取得部３１がコンテンツ情報を取得すると（ステップＳ５０４）、走行軌跡情報生成部４１は、コンテンツ情報取得部３１からコンテンツデータの再生状況の変化についての通知を待機する（ステップＳ５０５）。
【００５０】
そして、コンテンツ情報取得部３１からコンテンツデータの再生状況の変化についての通知を受けた場合には（ステップＳ５０５肯定）、走行軌跡情報生成部４１は追加軌跡ＩＤを生成するとともに（ステップＳ５０６）、走行軌跡関連ＤＢ２２は、走行軌跡情報生成部４１によって格納された追加軌跡ＩＤ、追加軌跡ＩＤに関連付けたコンテンツ情報、追加軌跡ＩＤに対応する経度、緯度、日時およびリンクＩＤ、ノードＩＤ、地点ＩＤを走行軌跡関連情報として記録する（ステップＳ５０７）。これとは反対に、コンテンツ情報取得部３１からコンテンツデータの再生状況の変化についての通知を受け付けていない場合には（ステップＳ５０５否定）、走行軌跡情報生成部４１は追加軌跡ＩＤを生成しない。
【００５１】
［実施例１の効果］
上述してきたように、実施例１によれば、車両の走行軌跡情報（例えば、緯度、軽度、日時や地点名などから車両走行位置の推移を特定するための情報など）を生成するとともに、走行軌跡情報に対応する走行軌跡上で再生されたコンテンツデータに関する情報（例えば、楽曲データであれば、曲名やアーティスト名、アルバム名など）を取得し、走行軌跡情報とコンテンツデータの情報とを関連付けて記録するので、例えば、ユーザは以前に車両で走行していたエリアを特定することなく、所望するコンテンツ情報を走行軌跡を足がかりとして取得することができるなど、走行軌跡に関連付けて記録しているコンテンツの情報をユーザに様々な形で利用させることが可能である。
【００５２】
また、実施例１によれば、所定の走行距離間隔（例えば、走行距離が２００ｍに到達するごと）または所定の時間間隔（例えば、５分ごと）で走行軌跡情報を生成するので、コンテンツデータの情報（例えば、楽曲データであれば、曲名やアーティスト名、アルバム名など）と関連付けて記録するための走行軌跡情報を適宜生成して管理することが可能である。
【００５３】
また、実施例１によれば、走行軌跡上でコンテンツデータの再生状況（例えば、楽曲データであれば、曲の開始や終了、切換りなど）に応じて追加走行軌跡情報（例えば、コンテンツデータの再生状況に変化があった時点での車両走行位置を特定するための情報）を生成して記録するので、コンテンツデータの情報（例えば、楽曲データであれば、曲名やアーティスト名、アルバム名など）と走行軌跡情報とをより詳細に関連付けて管理することが可能である。
【００５４】
また、実施例１によれば、コンテンツデータの再生開始時刻、再生終了時刻、再生開始時点および再生終了時点における各地点名の情報（例えば、車両位置の半径１００ｍ以内で一番近い住所および著名な施設名などの情報）からなる付加情報を取得して記録するので、再生開始時刻や再生終了時刻、再生開始時点および再生終了時点における各地点名の情報に基づいて、ユーザに所望するコンテンツデータの情報に見当をつけさせることができ、コンテンツデータの情報（例えば、楽曲データであれば、曲名やアーティスト名、アルバム名など）を利用させるために有益な情報を管理することが可能である。
【００５５】
また、上記の実施例１では、走行軌跡関連ＤＢ２２に記録される走行軌跡関連情報の音楽情報として、例えば、図６に例示するように、コンテンツ情報取得部３１においてＣＤＤ１３のトラック切換やアルバム切換の情報を取得するようにして、走行軌跡情報生成部４１はトラックの切換やアルバム切換を示す種別コードなどの情報を生成（例えば、切換ありを「１」、切換なしを「０」で示す情報）するとともに、追加軌跡ＩＤに関連付けて走行軌跡関連ＤＢ２２にさらに格納して記録させるようにしてもよい。
【００５６】
これにより、例えば、楽曲データであれば、そのトラックまたはアルバムの切換りを示す情報を生成して、追加軌跡ＩＤに関連付けて記録するので、ユーザにコンテンツデータの情報に見当をつけやすくさせることが可能である。
【００５７】
また、上記の実施例１で説明したように、ナビゲーションユニット４０と走行軌跡情報生成部４１とを統合した構成とすることで、自車両の位置情報を用いて経路案内を行うナビゲーションユニット４０の機能を生かし、経路案内のための用いられる位置情報をそのまま利用して走行軌跡情報を生成することができるので、走行軌跡情報と、その走行軌跡上で再生されたコンテンツデータの情報とを効率的に関連付けて記録することが可能である。また、走行軌跡情報とコンテンツデータの情報とを効率的に関連付けて記録する結果、走行軌跡に関連付けて記録しているコンテンツの情報のユーザに対する利用性を向上させることが可能である。
【実施例２】
【００５８】
ところで、上記の実施例１において、走行軌跡関連ＤＢ２２に記録した走行軌跡関連情報をディスプレイ１１に表示するようにしてもよい。そこで、以下では、本発明に係るコンテンツデータ管理装置の機能を車両に搭載した統合装置において、記録した走行軌跡関連情報を表示する場合を実施例２として説明する。
【００５９】
以下の実施例２では、実施例２に係る走行軌跡関連情報の表示の概要および特徴、実施例２に係るコンテンツデータ管理装置の機能を車両に搭載した統合装置の構成および処理を順に説明し、最後に実施例２による効果を説明する。
【００６０】
［走行軌跡関連情報の表示］
まず、図７および図８を用いて、実施例２に係る走行軌跡関連情報の表示の概要および特徴を説明する。図７は、実施例２に係る走行軌跡関連情報の表示例を示す図であり、図８は、走行軌跡関連情報インデックスの構成例を示す図である。
【００６１】
図７に示すように、コンテンツデータ管理装置の機能を車両に搭載した統合装置は、車両走行による位置の推移を示す走行軌跡を表示することを概要とするが、記録している走行軌跡関連情報をコンテンツデータに関する情報に関連付けて表示することで、ユーザ（車両乗員）に走行軌跡とコンテンツデータに関する情報との対応関係を明確に把握させる点に特徴がある。
【００６２】
この特徴について簡単に説明すると、ユーザから走行軌跡関連情報の表示指示の入力を受け付けると、この統合装置は、例えば、図８に例示するように、走行軌跡関連ＤＢ２２に記録している走行軌跡関連情報のインデックスをユーザに表示する。そして、インデックスの中の走行軌跡関連情報のいずれかについてユーザから選択を受け付けると、統合装置は、地図ＤＢ２１から該当地図データを読み出すとともに、走行軌跡関連ＤＢ２２から該当する走行軌跡関連情報を読み出して、ディスプレイ１１に表示するための表示データを生成する。
【００６３】
具体的には、統合装置は、走行軌跡関連ＤＢ２２から読み出した走行軌跡関連情報に基づいて、例えば、車両が走行している間に再生されていた楽曲データごとにマークの形状や色彩、走行軌跡の線の太さ等を変更して、走行軌跡を楽曲データに関連付けて表示するための走行軌跡データ、およびコンテンツ情報リスト（例えば、走行軌跡データに関連付けられたマーク、曲タイトル、楽曲データの再生開始から終了までの時間、再生開始地点および終了地点の地点名などを表示するリスト）からなる表示データを生成する（図７参照）。
【００６４】
そして、統合装置は、生成した表示データをディスプレイ１１に表示する場合に、デフォルトされた所定の表示形式（例えば、「リスト区間」の表示形式、図７参照）に対応させた適切な画像サイズに調整してディスプレイ１１に表示してユーザに提供する。
【００６５】
このようなことから、この統合装置は、上述した特徴の如く、ユーザ（車両乗員）に走行軌跡とコンテンツデータに関する情報との対応関係を明確に把握させることが可能である。
【００６６】
［統合装置の構成（実施例２）］
次に、図９を用いて、実施例２に係るコンテンツデータ管理装置の機能を車両に搭載した統合装置の構成を説明する。図９は、実施例２に係るコンテンツデータ管理装置の機能を車両に搭載した統合装置の構成を示すブロック図である。なお、実施例２に係る統合装置は、基本的に実施例１に係る統合装置と同様の構成であるが、以下に説明する部分が実施例１の統合装置とは異なる。
【００６７】
走行軌跡情報生成部４１は、ＧＰＳ１０および地図ＤＢ２１から得た情報に基づいて通常軌跡ＩＤおよび追加軌跡ＩＤ等の生成を行って、走行軌跡関連情報を走行軌跡関連ＤＢ２２に格納するだけでなく、さらに、走行軌跡関連ＤＢに記録する走行軌跡関連情報のインデックスを生成する。具体的には、走行軌跡情報生成部４１は、図８に例示するように、記録日時に対応付けて、出発地／記録開始地点および目的地／記録終了地点を記録して構成される。
【００６８】
なお、出発地および目的地等は、走行軌跡記録開始指示に際してユーザが入力するようにしてもよいし、走行軌跡記録開始指示を受け付けた走行軌跡情報生成部４１が、現在地情報に対応したユーザデータ（例えば、「自宅」や「会社」）がある場合には該当データを入力してもよいし、ユーザデータがない場合には現在地情報に対応する住所等を入力するようにしてもよい。そして、走行軌跡情報生成部４１は、生成した走行軌跡関連情報を走行軌跡表示制御部４２に対して出力するとともに、走行軌跡関連情報に更新があった場合にも同様に出力する。
【００６９】
走行軌跡表示制御部４２は、走行軌跡関連情報の表示を制御する処理部であり、具体的には、まず、走行軌跡情報生成部４１から受け付けた走行軌跡関連情報のインデックスを内部的なメモリに格納する。そして、例えば、ディスプレイ１１に配置されたタッチパネルを介してユーザから走行軌跡関連情報の表示指示の入力を受け付けると、走行軌跡表示制御部４２は、走行軌跡関連情報のインデックスをユーザに表示する。
【００７０】
続いて、走行軌跡関連情報インデックスの中のいずれかの情報（例えば、「Ｎｏ．９」の情報、図８参照）についてユーザから選択を受け付けると、走行軌跡表示制御部４２は、地図ＤＢ２１から該当地図データを読み出すとともに、走行軌跡関連ＤＢ２２から該当する走行軌跡関連情報を読み出して、ディスプレイ１１に表示するための表示データを生成する。
【００７１】
より詳細には、走行軌跡表示制御部４２は、走行軌跡関連情報に基づいて、例えば、車両が走行している間に再生されていた楽曲データごとにマークの形状や色彩、走行軌跡の線の太さ等を変更して、走行軌跡を楽曲データに関連付けて表示するための走行軌跡データ、およびコンテンツ情報リスト（例えば、走行軌跡データに関連付けられたマーク、曲タイトル、楽曲データの再生開始から終了までの時間、再生開始地点および終了地点の地点名などを表示するリスト）からなる表示データを生成する（図７参照）。
【００７２】
そして、走行軌跡表示制御部４２は、生成した表示データをディスプレイ１１に表示する場合に、デフォルトされた所定の表示形式（例えば、「リスト区間」の表示形式、図７参照）に対応させた適切な画像サイズに調整してディスプレイ１１に表示してユーザに提供する。
【００７３】
なお、走行軌跡表示制御部４２は、例えば、走行軌跡データおよびコンテンツ情報リストからなる表示データが「リスト区間」の表示形式で表示されている状態において、曲タイトルＢおよび「選択区間」のアイコンの選択（図７参照）をユーザから受け付けた場合には、曲タイトルＢのリストおよび曲タイトルＢのリストに対応した走行軌跡データのみを適切な画像サイズに調整して表示する。
【００７４】
同様に、走行軌跡表示制御部４２は、例えば、曲タイトルＢおよび「同一楽曲」のアイコンの選択（図７参照）をユーザから受け付けた場合には、曲タイトルＢの全リストおよび曲タイトルＢの全リストに対応した走行軌跡データの全てを適切な画像サイズに調整して表示する。
【００７５】
［走行軌跡関連情報表示処理］
続いて、図１０を用いて、例えば、ユーザから走行軌跡関連情報の表示指示を受け付けた場合に開始する実施例２に係る走行軌跡関連情報表示処理について説明する。図１０は、実施例２に係る走行軌跡関連情報表示処理の流れを示すフローチャートである。同図に示すように、走行軌跡表示制御部４２は、走行軌跡関連情報のインデックスをディスプレイ１１を介してユーザに表示する（ステップＳ１００１）。
【００７６】
そして、走行軌跡関連情報インデックスの中のいずれかの情報（例えば、「Ｎｏ．９」の情報、図８参照）についてユーザから選択を受け付けると（ステップＳ１００２肯定）、走行軌跡表示制御部４２は、走行軌跡関連ＤＢ２２から該当する走行軌跡関連情報（記録データ）を読み出すとともに、地図ＤＢ２１から該当地図データを読み出す（ステップＳ１００３）。これとは反対に、走行軌跡関連情報インデックスの中のいずれかの情報についてユーザから選択を受け付けていない場合には（ステップＳ１００２否定）、ユーザからの選択を待機する。
【００７７】
続いて、走行軌跡表示制御部４２は、ディスプレイ１１に表示するための表示データを生成する（ステップＳ１００４）。具体的には、走行軌跡表示制御部４２は、走行軌跡関連情報に基づいて、例えば、車両が走行している間に再生されていた楽曲データごとにマークの形状や色彩、走行軌跡の線の太さ等を変更して、走行軌跡を楽曲データに関連付けて表示するための走行軌跡データ、およびコンテンツ情報リスト（例えば、走行軌跡データに関連付けられたマーク、曲タイトル、楽曲データの再生開始から終了までの時間、再生開始地点および終了地点の地点名などを表示するリスト）からなる表示データを生成する（図７参照）。
【００７８】
そして、走行軌跡表示制御部４２は、生成した表示データをディスプレイ１１に表示する場合に、デフォルトされた所定の表示形式（例えば、「リスト区間」の表示形式、図７参照）に対応させた適切な画像サイズに調整してディスプレイ１１に表示して（ステップＳ１００５）、ユーザに提供する。
【００７９】
［実施例２の効果］
上述してきたように、実施例２によれば、記録している走行軌跡情報およびコンテンツデータの情報を関連付けて表示するので、ユーザに走行軌跡とコンテンツデータに関する情報との対応関係を明確に把握させることができ、所望するコンテンツ情報を走行軌跡を足がかりとしてより取得させやすくすることが可能である。
【００８０】
また、実施例２によれば、記録している付加情報（コンテンツデータの再生開始時刻や再生終了時刻、再生開始時点および再生終了時点における各地点名の情報）をコンテンツデータに関連付けてさらに表示するので、ユーザに走行軌跡とコンテンツデータの情報との対応関係をさらに明確に把握させることが可能である。
【００８１】
また、実施例２によれば、コンテンツデータに関する情報ごとに走行軌跡情報の表示形態を変化させて表示するので、走行軌跡とコンテンツデータの情報との対応関係を明確に表示することが可能である。
【実施例３】
【００８２】
さて、これまで本発明の実施例について説明したが、本発明は上述した実施例以外にも、種々の異なる形態にて実施されてよいものである。そこで、以下では、本発明に含まれる他の実施例を説明する。
【００８３】
（１）走行軌跡の再現
上記の実施例２では、記録している走行軌跡関連情報をコンテンツデータに関する情報に関連付けて表示する場合を説明したが、本発明はこれに限定されるものではなく、記録している走行軌跡関連情報に基づいて、走行軌跡の推移をあたかもリアルタイムで表示しているかのように再現してもよい。例えば、図７に例示するように、ディスプレイ１１に表示されているコンテンツ情報リストから曲タイトルＢを選択してから、「再生」のアイコンをユーザから指定されると、曲タイトルＢのリストに対応した走行軌跡データを地図データ上に再現する。
【００８４】
このように、ディスプレイなどの表示部に表示されているコンテンツデータに関する情報に対する選択をユーザから受け付けて、選択されたコンテンツデータの情報に関連付けられた走行軌跡情報を検索して再現するので、例えば、楽曲などを元に再現された走行軌跡から当時の状況を回顧することができるなど、機能の充実が可能である。
【００８５】
なお、走行軌跡の推移を再現するだけでなく、再現される走行軌跡に関連付けて記録されているコンテンツ情報に対応した楽曲データなどのコンテンツデータが再生できる状態である場合には（例えば、対応する楽曲データがコンテンツＤＢ２３に記録されている場合や対応する楽曲データを記憶しているＣＤがオーディオユニット３０に挿入中である場合）、走行軌跡の推移の再現にあわせて再生したり、あるいは、楽曲データのみを再生したりするようにしてもよい。
【００８６】
（２）装置構成等
また、図２および図９に示した本発明に係るコンテンツデータ管理装置の機能を車両に搭載した統合装置の各構成要素は機能概念的なものであり、必ずしも物理的に図示の如く構成されていることを要しない。すなわち、統合装置の分散・統合の具体的形態は図示のものに限られず、オーディオユニット３０とコンテンツ情報取得部３１とを分散するとともに、ナビゲーションユニット４０と走行軌跡情報生成部４１とを分散して、コンテンツ情報取得部３１および走行軌跡情報生成部４１を統合した独立の構成とするなど、その全部または一部を、各種の負荷や使用状況などに応じて、任意の単位で機能的または物理的に分散・統合して構成することができる。さらに、各装置にて行なわれる各処理機能（図４に示す通常軌跡生成記録処理、図５に示す追加軌跡生成記録処理および図１０に示す走行軌跡関連情報表示処理）は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８７】
以上のように、本発明に係るコンテンツデータ管理装置およびナビゲーション装置は、車両走行による位置の推移を示す走行軌跡情報を生成する場合に有用であり、特に、走行軌跡に関連付けて記録しているコンテンツの情報（例えば、楽曲データであれば、曲名やアーティスト名、アルバム名など）をユーザに様々な形で利用させることに適する。
【図面の簡単な説明】
【００８８】
【図１】実施例１に係るコンテンツデータ管理装置の概要および特徴を示す図である。
【図２】実施例１に係るコンテンツデータ管理装置の機能を車両に搭載した統合装置の構成を示すブロック図である。
【図３】走行軌跡関連情報の構成例を示す図である。
【図４】実施例１に係る通常軌跡生成記録処理の流れを示すフローチャートである。
【図５】実施例１に係る追加軌跡生成記録処理の流れを示すフローチャートである。
【図６】走行軌跡関連情報の構成例を示す図である。
【図７】実施例２に係る走行軌跡関連情報の表示例を示す図である。
【図８】走行軌跡関連情報インデックスの構成例を示す図である。
【図９】実施例２に係るコンテンツデータ管理装置の機能を車両に搭載した統合装置の構成を示すブロック図である。
【図１０】実施例２に係る走行軌跡関連情報表示処理の流れを示すフローチャートである。
【符号の説明】
【００８９】
１０  ＧＰＳ
１１  ディスプレイ
１２  スピーカ
１３  ＣＤＤ
１４  ラジオチューナ
１５  テレビチューナ
２０  ＨＤＤ
２１  地図ＤＢ
２２  走行軌跡関連ＤＢ
２３  コンテンツＤＢ
３０  オーディオユニット
３１  コンテンツ情報取得部
４０  ナビゲーションユニット
４１  走行軌跡情報生成部
４２  走行軌跡表示制御部
【図１】
2008014711.tif 000003
【図２】
2008014711.tif 000004
【図３】
2008014711.tif 000005
【図４】
2008014711.tif 000006
【図５】
2008014711.tif 000007
【図６】
2008014711.tif 000008
【図７】
2008014711.tif 000009
【図８】
2008014711.tif 000010
【図９】
2008014711.tif 000011
【図１０】
2008014711.tif 000012